(57)【要約】  ワイヤレスメトロポリタンエリアネットワーク（ＷＭＡＮ）を含むワイヤレス通信システムにおける緊急コールをサポートする方法および装置が開示される。ワイヤレス送受信ユニット（ＷＴＲＵ）は、緊急コールをかけるために、緊急コールメッセージを緊急コール表示と共にＷＭＡＮの基地局に送信する。次いで基地局は、セキュリティ手続きを行うかどうかにかかわらず、緊急コールを受け入れ、ＷＴＲＵを緊急コールセンターに接続する。基地局およびＷＴＲＵは、緊急コールのサポートに関する機能情報を伝えることができる。ＷＴＲＵの位置情報も、緊急コールセンターに転送される。基地局は、ＷＴＲＵが緊急コールを完了するのに必要な機能すべてを有していない場合、ＷＴＲＵのプロキシとして働くことができる。ＷＴＲＵは、２つ以上のワイヤレスアクセスネットワーク（ＲＡＮ）と通信することができるマルチモードＷＴＲＵとすることができる。
2009537108.tif 000002
【特許請求の範囲】
【請求項１】
ワイヤレスメトロポリタンエリアネットワーク（ＷＭＡＮ）を含むワイヤレス通信システムにおける緊急コールをサポートする方法であって、
ワイヤレス送受信ユニット（ＷＴＲＵ）が、緊急コールをかけるために、緊急コールメッセージを緊急コール表示と共に前記ＷＭＡＮの基地局に送信することと、
前記基地局が前記緊急コールを受け入れることと、
前記基地局が前記ＷＴＲＵを緊急コールセンターに接続することと
を備えることを特徴とする方法。
【請求項２】
前記基地局が、緊急コールのサポートに関する前記基地局の機能情報をブロードキャストすることであって、前記ＷＴＲＵは、前記基地局が緊急コール機能を有している場合のみ、前記緊急コールメッセージを送信すること
をさらに備えることを特徴とする請求項１に記載の方法。
【請求項３】
前記基地局が、前記基地局における前記緊急コール機能が現在アクティブであるかどうかの表示をブロードキャストすることであって、前記ＷＴＲＵは、前記緊急コール機能がアクティブである場合のみ、前記緊急コールメッセージを送信すること
をさらに備えることを特徴とする請求項２に記載の方法。
【請求項４】
前記機能情報は、アソシエーション応答メッセージ、認証応答メッセージ、加入者局基本機能応答（ＳＢＣ−ＲＳＰ）メッセージのうちの１つに含まれることを特徴とする請求項２に記載の方法。
【請求項５】
前記機能情報は、前記基地局が属する前記ＷＭＡＮの機能情報を含むことを特徴とする請求項２に記載の方法。
【請求項６】
前記ＷＴＲＵが前記ＷＴＲＵの機能情報を前記基地局に送信すること
をさらに備えることを特徴とする請求項１に記載の方法。
【請求項７】
前記機能情報は、アソシエーション要求メッセージ、認証要求メッセージ、加入者局基本機能要求（ＳＢＣ−ＲＥＱ）メッセージのうちの１つに含まれることを特徴とする請求項６に記載の方法。
【請求項８】
前記ＷＭＡＮにおける中央データベースを前記ＷＴＲＵの前記機能情報で更新すること
をさらに備えることを特徴とする請求項７に記載の方法。
【請求項９】
前記緊急コール表示は、前記コールが緊急コールであることを示すサービスフロー識別（ＳＦＩＤ）を使用することによって提供されることを特徴とする請求項１に記載の方法。
【請求項１０】
前記緊急コール表示は、サービス品質（ＱｏＳ）パラメータを使用して、前記コールが緊急コールであることを示すことによって提供されることを特徴とする請求項１に記載の方法。
【請求項１１】
前記緊急コール表示は、媒体アクセス制御（ＭＡＣ）フレームによって運ばれることを特徴とする請求項１に記載の方法。
【請求項１２】
前記ＭＡＣフレームは、制御フレーム、管理フレーム、およびデータフレームのうちの１つであることを特徴とする請求項１１に記載の方法。
【請求項１３】
緊急基地局識別（ＢＳＩＤ）は、前記基地局用に確保され、前記緊急コール表示は、前記緊急用ＢＳＩＤを使用することによって提供されることを特徴とする請求項１に記載の方法。
【請求項１４】
前記緊急用ＢＳＩＤは、加入者局基本機能応答（ＳＢＣ−ＲＳＰ）メッセージを使用することによって、前記ＷＴＲＵに提供されることを特徴とする請求項１３に記載の方法。
【請求項１５】
前記基地局は、前記ＷＴＲＵの認証を行うことなく、前記緊急コールを受け入れることを特徴とする請求項１に記載の方法。
【請求項１６】
前記基地局は、非緊急コールとは異なるセキュリティ設定で前記緊急コールを受け入れることを特徴とする請求項１に記載の方法。
【請求項１７】
前記緊急コールは、前記ＷＭＡＮへの一般アクセスを提供することなく、セミスタティックに前記緊急コールセンターにルートされることを特徴とする請求項１５に記載の方法。
【請求項１８】
前記ＷＭＡＮは、前記緊急コールが終了した後、所定の期間の間、前記ＷＴＲＵへのアクティブ接続を維持することを特徴とする請求項１に記載の方法。
【請求項１９】
前記基地局は、前記ＷＴＲＵの位置情報を前記緊急コールセンターに転送することを特徴とする請求項１に記載の方法。
【請求項２０】
前記ＷＴＲＵの前記位置情報は、前記基地局および前記ＷＴＲＵのうちの１つによって取得されることを特徴とする請求項１９に記載の方法。
【請求項２１】
前記ＷＴＲＵは、前記位置情報を前記緊急コールメッセージに添付することを特徴とする請求項２０に記載の方法。
【請求項２２】
前記ＷＴＲＵは、前記位置情報を前記緊急コールとは別に前記基地局に伝えることを特徴とする請求項２０に記載の方法。
【請求項２３】
前記基地局は、前記ＷＴＲＵからの前記位置情報についてポーリングすることを特徴とする請求項２０に記載の方法。
【請求項２４】
前記ＷＴＲＵは、位置情報を前記基地局に報告することを特徴とする請求項２０に記載の方法。
【請求項２５】
前記位置情報は、基本サービスセット識別（ＢＳＳＩＤ）、前記基地局および前記ＷＴＲＵの媒体アクセス制御（ＭＡＣ）アドレス、前記ＷＴＲＵのインターネットプロトコル（ＩＰ）アドレス、ネットワーク識別、全世界測位システム（ＧＰＳ）情報、補助ＧＰＳ座標、Ｕ−ＴＤＯＡ、Ｅ−ＯＴＤ、ＩＰＤＬ−ＯＴＤＯＡ、ユニバーサル地理座標、基地局位置、セルサイト情報、セクタ情報、タイミング進行測定、および往復時間測定のうちの少なくとも１つに基づいて生成されることを特徴とする請求項２０に記載の方法。
【請求項２６】
前記基地局が、前記ＷＴＲＵは前記緊急コールを完了するのに必要な機能すべてを有しているかどうかを判定することと、
前記ＷＴＲＵが前記緊急コールを完了するのに必要な機能すべてを有していない場合、前記基地局が任意の必要な機能を提供する前記ＷＴＲＵのプロキシとして働くことと
をさらに備えることを特徴とする請求項１記載の方法。
【請求項２７】
前記基地局は、前記ＷＴＲＵから受信された前記機能情報に基づいて前記判定を行うことを特徴とする請求項２６に記載の方法。
【請求項２８】
前記基地局は、前記ＷＭＡＮにおける加入者情報に基づいて前記判定を行うことを特徴とする請求項２６に記載の方法。
【請求項２９】
前記基地局は、前記ＷＴＲＵのセッション開始プロトコル（ＳＩＰ）プロキシとして働くことを特徴とする請求項２６に記載の方法。
【請求項３０】
前記基地局は、セッション開始プロトコル（ＳＩＰ）メッセージとＨ．３２３メッセージとの間を相互接続することを特徴とする請求項２６に記載の方法。
【請求項３１】
前記基地局は、シンボコーダクライアントを前記ＷＴＲＵにダウンロードし、前記ネットワークにおける標準ボコーダに相互接続することを特徴とする請求項２６に記載の方法。
【請求項３２】
前記機能の少なくとも一部分は、前記ＷＭＡＮにおけるネットワークエンティティによって提供されることを特徴とする請求項２６に記載の方法。
【請求項３３】
前記基地局は、前記ＷＴＲＵのプロキシとして動作するために、前記ＷＴＲＵのパケットのコンテンツをスプーフすることを特徴とする請求項２６に記載の方法。
【請求項３４】
前記基地局は、前記基地局を前記緊急コールセンターにリンクする緊急ネットワークノードと通信することを特徴とする請求項１に記載の方法。
【請求項３５】
前記緊急ネットワークノードは、マンインザループ機能を有する緊急応答オペレーションセンターであることを特徴とする請求項３４に記載の方法。
【請求項３６】
前記緊急ネットワークノードは、自動化されたノードであることを特徴とする請求項３４に記載の方法。
【請求項３７】
前記自動ノードは、音声回路ブリッジとして働いてダイヤルし、前記ＷＴＲＵを前記緊急コールセンターに接続することを特徴とする請求項３６に記載の方法。
【請求項３８】
前記緊急ネットワークノードは、コールハンドオフおよびローミング調整の機能を有することを特徴とする請求項３４に記載の方法。
【請求項３９】
前記緊急ネットワークノードは、隣の基地局におけるリソースを事前に認可して、前記ＷＴＲＵの前記ユーザがワイヤレス接続を失うことなくローミングすることができるようにすることを特徴とする請求項３８に記載の方法。
【請求項４０】
前記ＷＴＲＵは、少なくとも２つのワイヤレスネットワークと通信することができるマルチモードＷＴＲＵであることを特徴とする請求項１に記載の方法。
【請求項４１】
前記ＷＴＲＵは、セルラーネットワークおよびＷＭＡＮと通信するよう構成されていることを特徴とする請求項４０に記載の方法。
【請求項４２】
前記ＷＴＲＵは、ＷＭＡＮおよびワイヤレスローカルエリアネットワーク（ＷＬＡＮ）と通信するよう構成されていることを特徴とする請求項４０に記載の方法。
【請求項４３】
前記ＷＴＲＵは、最初に前記セルラーネットワーク上で緊急コールをかけようと試行し、前記セルラーネットワーク上で前記緊急コールをかけることができない場合のみ、前記ＷＭＡＮ上で前記緊急コールをかけることを特徴とする請求項４１に記載の方法。
【請求項４４】
複数のワイヤレスネットワークの間で前記緊急コールをかける順序は、前記ＷＴＲＵにおいてハードコードされることを特徴とする請求項４０に記載の方法。
【請求項４５】
複数のワイヤレスネットワークの間で前記緊急コールをかける順序は、システムオペレータによって構成されることを特徴とする請求項４０に記載の方法。
【請求項４６】
複数のワイヤレスネットワークの間で前記緊急コールをかける順序は、前記基地局によって構成されることを特徴とする請求項４０に記載の方法。
【請求項４７】
複数のワイヤレスネットワークの間で前記緊急コールをかける順序は、前記ユーザによって手動で構成されることを特徴とする請求項４０に記載の方法。
【請求項４８】
前記緊急コールは、前記ＷＴＲＵのユーザによってかけられることを特徴とする請求項１に記載の方法。
【請求項４９】
前記緊急コールは、前記ＷＴＲＵによって自律的にかけられることを特徴とする請求項１に記載の方法。
【請求項５０】
前記ＷＭＡＮは、ＩＥＥＥ８０２．１６ネットワークおよびＩＥＥＥ８０２．２０ネットワークのうちの１つであることを特徴とする請求項１に記載の方法。
【請求項５１】
ワイヤレスメトロポリタンエリアネットワーク（ＷＭＡＮ）を含むワイヤレス通信システムにおいて緊急コールをかけるためのワイヤレス送受信ユニット（ＷＴＲＵ）であって、
前記ＷＭＡＮとワイヤレスで通信するＷＭＡＮワイヤレスユニットと、
緊急コールをかけるために、緊急コールメッセージを緊急コール表示と共に前記ＷＭＡＮの基地局に送信する緊急コールコントローラと
を備えることを特徴とするＷＴＲＵ。
【請求項５２】
前記緊急コールコントローラは、前記基地局が、前記基地局によってブロードキャストされた機能情報に基づく緊急コール機能を有している場合のみ前記緊急コールメッセージを送信することを特徴とする請求項５１に記載のＷＴＲＵ。
【請求項５３】
前記緊急コールコントローラは、前記基地局の前記緊急コール機能がアクティブの場合のみ、前記緊急コールメッセージを送信することを特徴とする請求項５２に記載のＷＴＲＵ。
【請求項５４】
前記緊急コールコントローラは、前記基地局が属する前記ＷＭＡＮが緊急コール機能をサポートする場合のみ、前記緊急コールメッセージを送信することを特徴とする請求項５２に記載のＷＴＲＵ。
【請求項５５】
前記緊急コールコントローラは、前記基地局に前記ＷＴＲＵの機能情報を送信するよう構成されていることを特徴とする請求項５１に記載のＷＴＲＵ。
【請求項５６】
前記機能情報は、アソシエーション要求メッセージ、認証要求メッセージ、加入者局基本機能要求（ＳＢＣ−ＲＥＱ）メッセージのうちの１つに含まれることを特徴とする請求項５５に記載のＷＴＲＵ。
【請求項５７】
前記緊急コール表示は、前記コールが緊急コールであることを示すサービスフロー識別（ＳＦＩＤ）を使用することによって提供されることを特徴とする請求項５１に記載のＷＴＲＵ。
【請求項５８】
前記緊急コール表示は、サービス品質（ＱｏＳ）パラメータを使用して、前記コールが緊急コールであることを示すことによって提供されることを特徴とする請求項５１に記載のＷＴＲＵ。
【請求項５９】
前記緊急コール表示は、媒体アクセス制御（ＭＡＣ）フレームによって運ばれることを特徴とする請求項５１に記載のＷＴＲＵ。
【請求項６０】
前記ＭＡＣフレームは、制御フレーム、管理フレーム、およびデータフレームのうちの１つであることを特徴とする請求項５９に記載のＷＴＲＵ。
【請求項６１】
前記緊急コール表示は、前記基地局用に確保された緊急用基地局識別（ＢＳＩＤ）を使用することによって提供されることを特徴とする請求項５１に記載のＷＴＲＵ。
【請求項６２】
前記ＷＴＲＵの位置情報を生成する位置ユニットをさらに備え、前記位置情報は、前記基地局に伝えられることを特徴とする請求項５１に記載のＷＴＲＵ。
【請求項６３】
前記緊急コールコントローラは、前記ＷＴＲＵの位置情報を前記緊急コールメッセージに添付することを特徴とする請求項６２に記載のＷＴＲＵ。
【請求項６４】
前記緊急コールコントローラは、前記ＷＴＲＵの位置情報を前記緊急コールとは別に前記基地局に送信することを特徴とする請求項６２に記載のＷＴＲＵ。
【請求項６５】
前記緊急コールコントローラは、前記基地局によるポーリングに応答して前記ＷＴＲＵの位置情報を送信することを特徴とする請求項６２に記載のＷＴＲＵ。
【請求項６６】
前記位置ユニットは、基本サービスセット識別（ＢＳＳＩＤ）、前記基地局および前記ＷＴＲＵの媒体アクセス制御（ＭＡＣ）アドレス、前記ＷＴＲＵのインターネットプロトコル（ＩＰ）アドレス、ネットワーク識別、全世界測位システム（ＧＰＳ）情報、補助ＧＰＳ座標、Ｕ−ＴＤＯＡ、Ｅ−ＯＴＤ、ＩＰＤＬ−ＯＴＤＯＡ、ユニバーサル地理座標、基地局位置、セルサイト情報、セクタ情報、タイミング進行測定、および往復時間測定のうちの少なくとも１つに基づいて前記位置情報を生成することを特徴とする請求項６２に記載のＷＴＲＵ。
【請求項６７】
代替ワイヤレスネットワークとワイヤレスで通信する少なくとも１つの代替ワイヤレスユニットをさらに備えることを特徴とする請求項５１に記載のＷＴＲＵ。
【請求項６８】
前記代替ワイヤレスユニットは、セルラーネットワークと通信するセルラーワイヤレスユニットであることを特徴とする請求項６７に記載のＷＴＲＵ。
【請求項６９】
前記代替ワイヤレスユニットは、ワイヤレスローカルエリアネットワーク（ＷＬＡＮ）ワイヤレスユニットであることを特徴とする請求項６７に記載のＷＴＲＵ。
【請求項７０】
前記緊急コールコントローラは、最初に前記セルラーネットワーク上で緊急コールをかけようと試行し、前記セルラーネットワーク上で前記緊急コールをかけることができない場合のみ、前記ＷＭＡＮ上で前記緊急コールをかけることを特徴とする請求項６７に記載のＷＴＲＵ。
【請求項７１】
複数のワイヤレスネットワークの間で前記緊急コールをかける順序は、前記ＷＴＲＵにおいてハードコードされることを特徴とする請求項６７に記載のＷＴＲＵ。
【請求項７２】
複数のワイヤレスネットワークの間で前記緊急コールをかける順序は、システムオペレータによって構成されることを特徴とする請求項６７に記載のＷＴＲＵ。
【請求項７３】
複数のワイヤレスネットワークの間で前記緊急コールをかける順序は、前記基地局によって構成されることを特徴とする請求項６７に記載のＷＴＲＵ。
【請求項７４】
複数のワイヤレスネットワークの間で前記緊急コールをかける順序は、ユーザによって手動で構成されることを特徴とする請求項６７に記載のＷＴＲＵ。
【請求項７５】
前記緊急コールコントローラは、ユーザの入力に応答して前記緊急コールメッセージを送信することを特徴とする請求項５１に記載のＷＴＲＵ。
【請求項７６】
前記緊急コールコントローラは、前記緊急コールメッセージを自律的に送信することを特徴とする請求項５１に記載のＷＴＲＵ。
【請求項７７】
ワイヤレスメトロポリタンエリアネットワーク（ＷＭＡＮ）を含むワイヤレス通信システムにおける緊急コールをサポートする基地局であって、
緊急コール表示と共にワイヤレス送受信ユニット（ＷＴＲＵ）から受信された緊急コールのアドミッション制御を実行するアドミッションコントローラと、
前記緊急コールが受け入れられた場合、前記ＷＴＲＵを緊急コールセンターに接続するよう構成されている緊急コールコントローラと
を備えたことを特徴とする基地局。
【請求項７８】
前記緊急コールコントローラは、緊急コールのサポートに関する前記基地局の機能情報をブロードキャストすることを特徴とする請求項７７に記載の基地局。
【請求項７９】
前記緊急コールコントローラは、前記基地局における前記緊急コール機能が現在アクティブであるかどうかの表示をブロードキャストすることを特徴とする請求項７８に記載の基地局。
【請求項８０】
前記機能情報は、アソシエーション応答メッセージ、認証応答メッセージ、加入者局基本機能応答（ＳＢＣ−ＲＳＰ）メッセージのうちの１つに含まれることを特徴とする請求項７８に記載の基地局。
【請求項８１】
前記機能情報は、前記基地局が属する前記ＷＭＡＮの機能情報を含むことを特徴とする請求項７８に記載の基地局。
【請求項８２】
前記緊急コール表示は、前記コールが緊急コールであることを示すサービスフロー識別（ＳＦＩＤ）を使用することによって提供されることを特徴とする請求項７７に記載の基地局。
【請求項８３】
前記緊急コール表示は、サービス品質（ＱｏＳ）パラメータを使用して、前記コールが緊急コールであることを示すことによって提供されることを特徴とする請求項７７に記載の基地局。
【請求項８４】
前記緊急コール表示は、媒体アクセス制御（ＭＡＣ）フレームによって運ばれることを特徴とする請求項７７に記載の基地局。
【請求項８５】
前記緊急コールコントローラは、前記基地局用に確保された緊急用基地局識別（ＢＳＩＤ）を前記ＷＴＲＵに提供し、前記緊急コール表示は、前記緊急用ＢＳＩＤを使用することによって示されることを特徴とする請求項７７に記載の基地局。
【請求項８６】
前記アドミッションコントローラは、前記ＷＴＲＵの認証を行うことなく、前記緊急コールを受け入れることを特徴とする請求項７７に記載の基地局。
【請求項８７】
前記アドミッションコントローラは、非緊急コールとは異なるセキュリティ設定で前記緊急コールを受け入れることを特徴とする請求項７７に記載の基地局。
【請求項８８】
前記緊急コールは、前記ＷＭＡＮへの一般アクセスを提供することなく、セミスタティックに前記緊急コールセンターに送られることを特徴とする請求項８６に記載の基地局。
【請求項８９】
前記緊急コールコントローラは、前記緊急コールが終了した後、所定の期間の間、前記ＷＴＲＵへのアクティブ接続を維持することを特徴とする請求項７７に記載の基地局。
【請求項９０】
前記緊急コールコントローラは、前記ＷＴＲＵの位置情報を前記緊急コールセンターに転送することを特徴とする請求項７７に記載の基地局。
【請求項９１】
前記緊急コールコントローラは、前記ＷＴＲＵからの前記位置情報についてポーリングすることを特徴とする請求項９０に記載の基地局。
【請求項９２】
基本サービスセット識別（ＢＳＳＩＤ）、前記基地局および前記ＷＴＲＵの媒体アクセス制御（ＭＡＣ）アドレス、前記ＷＴＲＵのインターネットプロトコル（ＩＰ）アドレス、ネットワーク識別、全世界測位システム（ＧＰＳ）情報、補助ＧＰＳ座標、Ｕ−ＴＤＯＡ、Ｅ−ＯＴＤ、ＩＰＤＬ−ＯＴＤＯＡ、ユニバーサル地理座標、基地局位置、セルサイト情報、セクタ情報、タイミング進行測定、および往復時間測定のうちの少なくとも１つに基づいて前記ＷＴＲＵの位置情報を取得する位置ユニット
をさらに備えたことを特徴とする請求項９０に記載の基地局。
【請求項９３】
前記緊急コールコントローラは、前記ＷＴＲＵが緊急コールを完了するのに必要な前記機能すべてを有しているかどうかを判定し、前記ＷＴＲＵが前記緊急コールを完了するのに必要な前記機能すべてを有していない場合、前記基地局は、任意の必要な機能を提供する前記ＷＴＲＵのプロキシとして働くことを特徴とする請求項７７に記載の基地局。
【請求項９４】
前記緊急コールコントローラは、前記ＷＴＲＵから受信された前記機能情報に基づいて前記判定を行うことを特徴とする請求項９３に記載の基地局。
【請求項９５】
前記緊急コールコントローラは、前記ＷＭＡＮにおける加入者情報に基づいて前記判定を行うことを特徴とする請求項９３に記載の基地局。
【請求項９６】
前記基地局は、前記ＷＴＲＵのセッション開始プロトコル（ＳＩＰ）プロキシとして働くことを特徴とする請求項９３に記載の基地局。
【請求項９７】
前記基地局は、セッション開始プロトコル（ＳＩＰ）メッセージとＨ．３２３メッセージとの間を相互接続することを特徴とする請求項９３に記載の基地局。
【請求項９８】
前記緊急コールコントローラは、シンボコーダクライアントを前記ＷＴＲＵにダウンロードし、前記ネットワークにおける標準ボコーダに相互接続することを特徴とする請求項９３に記載の基地局。
【請求項９９】
前記緊急コールコントローラは、前記ＷＴＲＵのプロキシとして動作する前記ＷＴＲＵのパケットのコンテンツをスプーフすることを特徴とする請求項９３に記載の基地局。
【発明の詳細な説明】
【技術分野】
【０００１】
本発明は、ワイヤレス通信システムに関する。より詳細には、本発明は、ワイヤレスメトロポリタンエリアネットワーク（ＷＭＡＮ）を含むワイヤレス通信システムにおける緊急コールをサポートするための方法および装置に関する。
【背景技術】
【０００２】
従来のＩＥＥＥ８０２．ｘｘネットワーク（例えば、ＩＥＥＥ８０２．１１ワイヤレスローカルエリアネットワーク（ＷＬＡＮ）、ＩＥＥＥ８０２．１５ワイヤレスパーソナルエリアネットワーク（ＷＰＡＮ）、ＩＥＥＥ８０２．１６またはＩＥＥＥ８０２．２０ＷＭＡＮなど）は、セルラーネットワークが行うような緊急コールのサポートを提供する必要はない。セルラーネットワークの場合、緊急コールのサポートは、広く実施されており、これは、法的な要求事項に由来することが多い。緊急コールのサポートは、すべての通信レイヤにわたる多くの側面、特に、ＩＥＥＥ８０２．ｘｘネットワークには存在しない、シグナリングのサポートおよび義務づけられている手続きなどを伴う。ＶｏＩＰ（voice over Internet protocol）およびワイヤレスネットワークの増大した毎日の使用の到来により、ＩＥＥＥ８０２．ｘｘネットワークにおける緊急コールのサポートが必要である。
【発明の概要】
【発明が解決しようとする課題】
【０００３】
固定ＶｏＩＰ電話サービスは、限られた緊急コールのサポートを有する。しかし、固定ＶｏＩＰ電話サービスの場合、位置情報は、公共安全応答ポイント（ＰＳＡＰ： public safety answering point）の通信指令係によって常に追跡できるわけではなく、コールバックが常に可能であるわけではなく、アドレス登録が機器を購入すると必要になる場合がある。ＶｏＩＰ電話が新しい位置に移動されると、緊急コールは、依然として登録されたアドレスに基づいて送信されることになる。登録されたアドレスは、変更することはできるが、ＰＳＡＰの情報を更新するのに少なくとも数日または数週間程度の遅れがある。さらに、一部のユーザは、更新するとしても、タイムリーにその登録情報を更新しない場合がある。この状況は、ＷＬＡＮまたはＷＭＡＮを使用したＶｏＩＰ電話によって可能になるモビリティが増加するにつれて悪化する。特に、ＷＭＡＮベースのＶｏＩＰ電話は、ＷＭＡＮのカバレージエリア内の任意の位置で機能することができ、ユーザは、ある都市から別の都市へなど、異なるＷＭＡＮカバレージエリア間をシームレスにロームすることができる。
【０００４】
さらに、ＷＭＡＮアクセスネットワークでは、現在のところ、緊急コールのためのコール確立またはコールアドミッション制御の優先順位は存在しておらず、緊急コールを通常のコールから区別する手段はない。さらに、基地局の識別を容易に判定できる場合でさえ、基地局または加入者局（ＳＳ）の位置は、現在、一般的な方法（non-proprietary manner）では、ネットワークにはわからない。また、現在のところ、一般的な方法では、発呼者の位置をマップすることは可能ではない。
【０００５】
ネットワークアドミッションに関して、緊急コールの発呼者がネットワークに入るのを許可されていない場合、アクセス制御されたＷＭＡＮは、その発呼者が緊急コールを確立するのを妨げる可能性がある。ＳＳと基地局との間の通常の接続手続きは、ＳＳがＳＳ基本機能要求（ＳＢＣ−ＲＥＱ： SS basic capability request）メッセージを送信し、続いてＳＳを基地局に関連付ける前に許可およびセキュリティキーの交換を必要とする。ＳＳは、緊急コールをかけていることを示すことができない場合、ＳＳを受け入れることができるかを判定するために、全登録手続きを行わなければならないであろう。例えば、ＳＳがシステムにアクセスするために適正なパスワードおよび認証クレデンシャルを有していない場合、基地局は、ＳＳのアソシエーション要求を素っ気なく拒否するかもしれない。ＳＳが適正なパスワードまたは認証クレデンシャルを有している場合でさえ、基地局は、音声ユーザのための構成された最大容量に基づいてネットワークへの受け入れを依然として拒否するかもしれない。この場合、基地局の正しい決定は、この緊急コールを受け入れ（最高の優先順位で）、別の既存の音声コールを中断することである。基地局は、現在、この区別を行う手段がないため、従来のＷＭＡＮでは、こうした特徴を実施することができない。
【課題を解決するための手段】
【０００６】
本発明は、ＷＭＡＮを含むワイヤレス通信システムにおいて緊急コールをサポートするための方法および装置に関する。ワイヤレス送受信ユニット（ＷＴＲＵ）は、緊急コールをかけるために、緊急コールメッセージを緊急コール表示と共にＷＭＡＮの基地局に送る。次いで基地局は、セキュリティ手続きを行うか否かにかかわらず、緊急コールを受け入れ、ＷＴＲＵを緊急コールセンターに接続する。基地局およびＷＴＲＵは、緊急コールのサポートに関する機能情報（capability information）を通信することができる。ＷＴＲＵの位置情報も、緊急コールセンターに転送される。基地局は、ＷＴＲＵが緊急コールを完了するのに必要な機能すべてを有していない場合、ＷＴＲＵのプロキシとして機能することができる。ＷＴＲＵは、２つ以上の無線アクセスネットワーク（ＲＡＮ）と通信することができるマルチモードＷＴＲＵとすることができる。
【０００７】
一例として示され、添付の図面と共に理解される以下の好ましい実施形態の説明から、本発明をより詳しく理解できよう。
【図面の簡単な説明】
【０００８】
【図１】本発明による緊急コールをかけるプロセスを示すシグナリング図である。
【図２】本発明による、セルラーネットワークおよびＷＭＡＮを含むワイヤレス通信システムにおいてマルチモードＷＴＲＵにより緊急コールをかけるプロセスを示すフロー図である。
【図３】本発明によるＷＴＲＵのブロック図である。
【図４】本発明による基地局のブロック図である。
【発明を実施するための形態】
【０００９】
以下で言及する場合、用語「ＷＴＲＵ」は、限定されないが、ユーザ機器（ＵＥ）、移動局、固定または移動加入者ユニット、ページャ、携帯電話、携帯デジタル端末（ＰＤＡ）、コンピュータ、またはワイヤレス環境で動作することができる他の任意のタイプのユーザデバイスを含む。以下で言及する場合、用語「基地局」は、限定されないが、Ｎｏｄｅ−Ｂ、サイトコントローラ、アクセスポイント（ＡＰ）、またはワイヤレス環境で動作することができる他の任意のタイプのインターフェイスデバイスを含む。
【００１０】
本発明は、限定されないが、ＩＥＥＥ８０２．１６またはＩＥＥＥ８０２．２０ＷＭＡＮを含む任意のＷＭＡＮに適用可能である。本発明は、メッシュネットワークまたはアドホックネットワークにも適用可能である。
【００１１】
図１は、本発明による緊急コールをかけるプロセス１００のシグナリング図である。ＷＭＡＮの一部である基地局１５４は、緊急コールのサポートに関するその機能情報をブロードキャストすることができる（ステップ１０２）。また、基地局１５４は、基地局１５４における緊急コール機能が現在アクティブであるかどうかの表示もブロードキャストすることができる。緊急コール機能が基地局によってサポートされていない場合、または現在アクティブではない場合、ＷＴＲＵ１５２は、別の基地局を介して緊急コールをかけようと試行すべきである。基地局１５４によって送信された機能情報は、限定されないが、アソシエーション応答メッセージ、認証応答メッセージ、ＳＢＣ−ＲＳＰメッセージなどを含む任意のメッセージに含めることができる。
【００１２】
基地局１５４によって提供された機能情報は、基地局１５４が属するＷＭＡＮの機能情報も含み得る。ＷＭＡＮは、緊急コールセンター１５６に接続する機能を有していても有していなくてもよい。例えば、ＷＭＡＮは、ちょうどデータ収集ネットワーク（例えば工場テレメトリネットワークなど）として構成され、基地局１５４が緊急コールセンター１５６に接続することを可能にするであろうインターネット接続を有さない場合がある。こうした場合、基地局１５４は、このＷＭＡＮが緊急コールをサポートすることができないことをＷＴＲＵ１５２に知らせて、ＷＴＲＵ１５２が別のＷＭＡＮを介して緊急コールをかけようと試行できるようにすべきである。基地局１５４は、ＷＭＡＮのインターネット接続が一時的に使用できないときも同様に知らせる。
【００１３】
ＷＴＲＵ１５２も、その機能情報を基地局１５４に送信することができる（ステップ１０４）。ＷＴＲＵ１５２によって送信された機能情報は、限定されないが、アソシエーション要求メッセージ、認証要求メッセージ、ＳＢＣ−ＲＥＱメッセージなどを含む任意のメッセージに含めることができる。ＷＭＡＮにおける中央データベースは、ＷＴＲＵ１５２の新しい機能情報で自動的に更新することができ、したがって、この機能情報は、ユーザが緊急コールをかけたとき、容易に使用可能である。これによって、そうでなければ機能情報をネットワークで交換しなければならないことによってこのコールを完了するのに必要となるであろう待ち時間が短縮される。
【００１４】
機能情報の交換は、オプションの特徴として行われ、緊急コールをかけるとき、またはその後にＷＴＲＵの機能情報を送信することができる。
【００１５】
ＷＴＲＵ１５２のユーザがＷＭＡＮを介して緊急コールをかけるとき、緊急コール表示も基地局１５４に送信される（ステップ１０６）。緊急コール表示は、任意の手段によって提供することができる。例えば、緊急コール表示は、このコールが緊急コールであることを示すサービスフロー識別（ＳＦＩＤ）を使用することによって提供することができる。あるいは、サービス品質（ＱｏＳ）パラメータ（例えばサービスクラス）を使用して、このコールが緊急コールであることを示すことができる。緊急コール表示は、媒体アクセス制御（ＭＡＣ）フレームの任意の部分（ヘッダーや本体など）で運ぶことができる。緊急コール表示に、ＭＡＣフレームのＥｔｈｅｒｎｅｔタイプフィールドを使用することもできる。ＭＡＣフレームは、制御フレーム、管理フレーム、またはデータフレームとすることができる。
【００１６】
各基地局は、それ自体の基地局識別（ＢＳＩＤ）を有し、各ＭＡＣフレームは、ＢＳＩＤを含む。緊急コール表示の代替として、１つのＢＳＩＤ（緊急用ＢＳＩＤ）を緊急コール専用に確保することができ、緊急用ＢＳＩＤは、ユーザが緊急コールをかけようと試行するとき、ＭＡＣフレームに含まれる。ＷＴＲＵ１５２は、緊急用ＢＳＩＤを基地局１５４から受信し、緊急コールをかけるために使用する。例えば、緊急用ＢＳＩＤは、ＳＳ基本機能応答（ＳＢＣ−ＲＳＰ）フレームに含めることができる。
【００１７】
緊急コールメッセージおよび緊急コール表示を受信した後、基地局１５４は、ＷＴＲＵ１５２を受け入れ、緊急コールを優先的に扱う緊急コールセンター１５６にＷＴＲＵ１５２を接続する（ステップ１０８）。基地局１５４は、セキュリティ手続きをバイパスすることができ、そして／またはＷＴＲＵ１５２のプロキシとして機能することができ、これについては以下で詳述する。
【００１８】
基地局１５４は、ＷＴＲＵ１５２を緊急コールセンターに接続すると、ステップ１０８で、ＷＴＲＵ１５２の位置情報を緊急コールセンター１５６に転送する。ＷＴＲＵ１５２の位置情報は、基地局１５４によって取得することができる。あるいは、位置情報は、ＷＴＲＵ１５２によって取得され、基地局１５４に転送されてもよい。
【００１９】
位置情報は、ステップ１０６で、緊急コールメッセージに添付することができる。あるいは、位置情報は、緊急コールとは別に伝えられてもよい。基地局１５４は、ＷＴＲＵ１５２からの位置情報をポーリングすることができる。あるいは、ＷＴＲＵ１５２は、緊急コールの如何を問わず、位置情報を基地局１５４に定期的または不定期に報告することができる。ＷＴＲＵ１５２の位置情報を基地局１５４で維持することが好ましい。というのは、ＷＴＲＵ１５２が緊急コールを発行するとき、基地局１５４は、ＷＴＲＵの位置の比較的最近の推定をすでに有しており、ＷＴＲＵ１５２が緊急コールシグナリングメッセージ上にその位置情報をピギーバックする必要がないからである。
【００２０】
基本サービスセットＩＤ（ＢＳＳＩＤ）、基地局１５４またはＷＴＲＵ１５２のＭＡＣアドレス、ＷＴＲＵ１５２のＩＰアドレス、ネットワークＩＤ、全世界測位システム（ＧＰＳ）情報、補助ＧＰＳ座標（assisted GPS coordinate）、Ｕ−ＴＤＯＡ（uplink time difference of arrival）、Ｅ−ＯＴＤ（enhanced observed time difference）、ＩＰＤＬ−ＯＴＤＯＡ（idle period downlink observed time difference of arrival）、ユニバーサル地理座標（universal geographic coordinate）（ＩＥＴＦ  ＲＦＣ３８２５において定義されているものなど）、基地局位置、セルサイトまたはセクタ情報、およびタイミング進行測定または往復時間測定のうちの少なくとも１つを使用することによって、ＷＴＲＵ１５２の位置を特定することができる。
【００２１】
基地局１５４は、ＷＴＲＵ１５２が緊急コールサービスを使用することができ、緊急コール表示により緊急コールをかける必要があると認識し、通常のセキュリティ手続きをバイパスすることができる。セキュリティ手続きを完全にバイパスすることができ、認証を必要とすることなく、緊急コールを受け入れることができる。あるいは、異なるセキュリティ設定を備える緊急コールを受け入れることができる。例えば、緊急コールが特別な緊急関連のアクセスコード、セキュリティキー、または認証クレデンシャルを備えていてもよい。この方式により、クレデンシャルを有していないＷＴＲＵでも、ネットワークにアクセスして、緊急コールをかけることができる。
【００２２】
（スプーフィングシグナリング情報（spoofing signaling information）を介してなど）緊急コールを装うコールからのセキュリティバイパスの悪用を防ぐために、すべての緊急コールがＷＭＡＮへの一般的なアクセスを提供することなく、緊急コールセンター１５６に自動的に送られるように、すべての緊急コールについてセミスタティックルーティング（semi-static routing）を行うことができる。緊急コールにセミスタティックルーティングを使用することによって、スプーフィングされた緊急コールでさえ、緊急コールセンター１５６に送られる。
【００２３】
基地局１５４（または他の任意のネットワークエンティティ）は、緊急コールを処理するために、コールバック機能を実装することができる。緊急コールがいったん確立されると、ＷＭＡＮは、コールバックの場合に緊急コールが終了した後ある期間の間、緊急コールを開始したユーザへのアクティブ接続を維持する。この機能は、ユーザにはトランスペアレントでもよい。
【００２４】
基地局１５４は、ＷＴＲＵ１５２のプロキシとして機能することができる。緊急コールを受信した後、基地局１５４は、ＷＴＲＵ１５２が緊急コールを運ぶために使用されるネットワークに基づいて緊急コールを完了するのに必要な機能（セッション開始プロトコル（ＳＩＰ）／Ｈ．３２３プロトコルターミネーション、ボコーダなど）をすべて有しているかどうかを判定する。これは、ＷＴＲＵ１５２から受信された機能情報、またはネットワークにおける加入者情報に基づいて行うことができる。
【００２５】
ＷＴＲＵ１５２が必要な機能すべてを有している場合、基地局１５４は、緊急コールを通常どおり続行する。ＷＴＲＵ１５２が緊急コールを完了するのに必要な機能すべてを有していない場合、基地局１５４は、任意の必要な機能を提供するＷＴＲＵ１５２のプロキシとして働く。例えば、ＷＴＲＵ１５２がセッション開始プロトコル（ＳＩＰ）機能を有してない場合、基地局１５４は、ＷＴＲＵ１５２のＳＩＰプロキシとして働くことができる。別の例として、ＷＴＲＵ１５２はＳＩＰ機能を有しており、しかしネットワークはＨ．３２３のみをサポートしている場合、基地局１５４は、残りのネットワークに対して、ＷＴＲＵ１５２からのＳＩＰメッセージをＨ．３２３メッセージに相互接続することができ、その逆も可能である。ＷＴＲＵ１５２がボコーダさえも有していない極端な場合、基地局１５４は、シンボコーダクライアントをＷＴＲＵ１５２にダウンロードし、ネットワークのどこかにある標準ボコーダに相互接続することができる。
【００２６】
基地局１５４は、ＷＴＲＵ１５２に対してすべてのプロキシ機能を提供する必要はない。これらの機能は、ネットワークにおける別のエンティティ（専用ゲートウェイノードなど）によって提供することができる。プロキシ機能を基地局１５４から移動することによって、ＷＭＡＮのインターネット接続における障害の場合、緊急コールを処理するより大きい柔軟性がＷＭＡＮに提供される。
【００２７】
プロキシとして機能する際、基地局１５４は、ＷＴＲＵ１５２およびネットワークのシグナリングまたはトラフィックパケットのコンテンツをスプーフすることができる（すなわち、コンテンツおよび／またはタイプ情報を読み取る）。例えば、ＩＰを介したＳＩＰシグナリングプロトコルメッセージは、一般に、コール処理のために使用される。こうしたＳＩＰシグナリングは、機能情報や宛先アドレスなど、基地局がプロキシとしてのその役割を果たすのに有用な情報を含む。基地局１５４は、プロキシとしてのその役割を果たすためにメッセージコンテンツをスプーフすることによって、こうした情報を抽出することができる。ＳＩＰは、ＩＰベースのコールの管理プロトコルの一例であり、スプーフィングされたメッセージは、他の任意のプロトコルメッセージであり得ることに留意されたい。
【００２８】
基地局１５４は、緊急コールをＷＴＲＵ１５２から適切に送るために、緊急コールセンター１５６へのリンクを確立する必要がある。緊急コールを基地局１５４から緊急コールセンター１５６に届けることが可能な転送機構がいくつかある。基地局１５４は、緊急ネットワークノード（ゲートウェイなど）と通信して、緊急コールセンター１５６にリンクすることができる。
【００２９】
緊急ネットワークノードは、マンインザループ（man-in-the-loop）機能を備える緊急応答オペレーションセンターとすることができる。例えば、大学の構内において、緊急ネットワークノードは、構内警備部門とすることができる。別の例として、製造プラントにおいて、緊急ネットワークノードは、警備員室とすることができる。緊急ネットワークノードは、コールを受信し、コール情報をログし、コールを選別し、次いで公衆交換電話網（ＰＳＴＮ）を介して緊急コールをかけて、適切な機関に警報を出すことができるオペレータを有することができる。
【００３０】
緊急ネットワークノードは、ＰＳＴＮへの直接回線による自動ノードとすることができる。自動ノードは、音声回路ブリッジとして働いて電話をかけ、発呼者を緊急コールセンター１５６に接続する。
【００３１】
緊急ネットワークノードは、コールのハンドオフおよびローミング調整の機能を有し得る。緊急ネットワークノードは、隣の基地局におけるリソースを事前に認可して、発呼者が、セル境界を横切るとき、ワイヤレス接続を失うことなく、また新しい緊急コールを再確立する必要なく、ロームすることができるようにする。
【００３２】
図２は、本発明による、セルラーネットワークおよびＷＭＡＮを含むワイヤレス通信システムにおいてマルチモードＷＴＲＵにより緊急コールをかけるプロセス２００のフロー図である。ＷＴＲＵは、（第３世代（３Ｇ）およびＷＭＡＮ、またはＷＭＡＮおよびＷＬＡＮなど）２つ以上の無線アクセス技術をサポートすることができるマルチモードＷＴＲＵである。本発明の一実施形態によれば、ＷＴＲＵは、最初にセルラーネットワークを介して緊急コールをかけようと試行する。セルラーネットワークを介して緊急コールをかけることが好ましい。というのは、現在の緊急コールサポートは、ＷＭＡＮ上では使用できないか、あまり信頼できない場合があるからである。
【００３３】
ＷＴＲＵのユーザは、緊急コールをかける（ステップ２０２）。次いで、ＷＴＲＵが現在セルラーネットワークまたはＷＭＡＮにおいて動作しているか、およびＷＴＲＵが現在セルラーネットワークに接続されているかが判定される（ステップ２０４）。ＷＴＲＵは、セルラーネットワーク上で動作しており、現在セルラーネットワークに接続されている場合、セルラーネットワークを介して緊急コールをかける（ステップ２１０）。ＷＴＲＵは、現在セルラーネットワーク上で動作しており、しかし現在セルラーネットワークに接続されていない場合、セルラーネットワークへの接続を確立し、セルラーネットワークを介して緊急コールをかける（ステップ２０６、２１０）。ＷＴＲＵは、現在ＷＭＡＮ上で動作している場合、セルラーネットワークに切り替えて、セルラーネットワークへの接続を確立し、セルラーネットワークを介して緊急コールをかける（ステップ２０８、２１０）。セルラーネットワークを介して緊急コールがかけられた後、緊急コールを従来の回線交換音声チャネルに移動することができる。あるいは、ＶｏＩＰコールを、セルラーネットワークにおいて維持することができる。
【００３４】
緊急コールがかけられた後、緊急コールがセルラーネットワーク上を通過したかどうかが判定される（ステップ２１２）。そうである場合、このプロセスは終了する。緊急コールがセルラーネットワーク上を通過しなかった場合、ＷＴＲＵは、ＷＭＡＮに切り替えて、ＷＭＡＮを介して緊急コールをかける（ステップ２１４）。
【００３５】
緊急コールをかけるための構成（すなわち、使用される緊急ネットワークタイプ、アドレス情報、優先順位リスト、タイマなど）は、ＷＴＲＵで（例えば、加入者識別モジュール（ＳＩＭ）カードやＷＴＲＵの類似のデバイスにおいて）「ハードコード」することができる。あるいは、システムオペレータは、緊急コールをかける無線技術の好ましい順序を信号で伝えることができる。あるいは、ＷＴＲＵを、個別の構成手続きを介して、または最初のまたはその後のネットワークアクセス中に基地局から受信されたパラメータによって構成することができる。あるいは、ユーザは、ＷＴＲＵを手動で構成することができる。デュアルモードＷＭＡＮ−セルラーのＷＴＲＵの説明は、一例として提供され、これをＷＬＡＮ−ＷＭＡＮデュアルモードのＷＴＲＵなど他の類似の多くのデュアルモード実装に拡張することができることに留意されたい。
【００３６】
上述した緊急コール機能は、任意のネットワークエンティティによって実施することができる。例えば、これらの機能は、ＷＴＲＵ、ネットワークのアクセスコントローラ、またはコールサーバによって実施することができ、いくつかのＡＰにわたって分散することができる。
【００３７】
本発明は、ＷＭＡＮによる緊急処理のために、人間のユーザの代わりに、マシン間のシナリオに拡張することができる。例えば、ホームセキュリティシステムの場合、人間のユーザがＷＭＡＮ緊急コールを生成する代わりに、ホームセキュリティシステムが、緊急コールセンターへの緊急コールを自動的に生成することができる（例えば、誰かが侵入したときなど）。
【００３８】
図３は、本発明によるＷＴＲＵ１５２のブロック図である。ＷＴＲＵは、ＷＭＡＮ無線ユニット３０２、緊急コールコントローラ３０４、位置ユニット３０６、およびオプションの代替無線ユニット３０８を含む。ＷＭＡＮ無線ユニット３０２は、ＷＭＡＮと無線で通信するためのものである。緊急コールコントローラ３０４は、上述したように、緊急コールをかけるために、緊急コールメッセージを緊急コール表示と共にＷＭＡＮの基地局に送信する。位置ユニット３０６は、基地局に伝えられるＷＴＲＵの位置情報を生成する。ＷＴＲＵ１５２は、マルチモードＷＴＲＵである場合、少なくとも１つの代替無線ユニット３０８を含む。
【００３９】
図４は、本発明による基地局１５４のブロック図である。基地局１５４は、緊急コールコントローラ４０２、アドミッションコントローラ４０４、および位置ユニット４０６を含む。緊急コールメッセージが緊急コール表示と共にＷＴＲＵから受信されると、アドミッションコントローラ４０４は、緊急コールのアドミッション制御を実行する。アドミッションコントローラ４０４は、上述したように認証を行うことなく、緊急コールを受け入れることができる。緊急コールが受け入れられると、緊急コールコントローラ４０２は、ＷＴＲＵを緊急コールセンターに接続する。位置ユニット４０６は、ＷＴＲＵの位置情報を生成し、緊急コールコントローラ４０２は、位置情報を緊急コールセンターに転送する。
【００４０】
（実施形態）
１．ＷＭＡＮを含むワイヤレス通信システムにおいて緊急コールをサポートするための方法。
【００４１】
２．ＷＴＲＵが、緊急コールをかけるために、緊急コールメッセージを緊急コール表示と共にＷＭＡＮの基地局に送信することを備える実施形態１に記載の方法。
【００４２】
３．基地局が緊急コールを受け入れることを備える実施形態２に記載の方法。
【００４３】
４．基地局がＷＴＲＵを緊急コールセンターに接続することを備える実施形態３に記載の方法。
【００４４】
５．基地局が緊急コールのサポートに関する基地局の機能情報をブロードキャストすることを備え、ＷＴＲＵは、基地局が緊急コール機能を有している場合のみ、緊急コールメッセージを送信する実施形態２〜４のいずれかに記載の方法。
【００４５】
６．基地局が、基地局における緊急コール機能が現在アクティブであるかどうかの表示をブロードキャストすることを備え、ＷＴＲＵは、緊急コール機能がアクティブの場合のみ、緊急コールメッセージを送信する実施形態２〜５のいずれかに記載の方法。
【００４６】
７．機能情報は、アソシエーション応答メッセージ、認証応答メッセージ、およびＳＢＣ−ＲＳＰメッセージのうちの１つに含まれる実施形態５〜６のいずれかに記載の方法。
【００４７】
８．機能情報は、基地局が属するＷＭＡＮの機能情報を含む実施形態５〜７のいずれかに記載の方法。
【００４８】
９．ＷＴＲＵが基地局にＷＴＲＵの機能情報を送信することをさらに備える実施形態２〜８のいずれかに記載の方法。
【００４９】
１０．機能情報は、アソシエーション要求メッセージ、認証要求メッセージ、ＳＢＣ−ＲＥＱメッセージのうちの１つに含まれる実施形態９に記載の方法。
【００５０】
１１．ＷＭＡＮにおける中央データベースをＷＴＲＵの機能情報で更新することをさらに備える実施形態９〜１０のいずれかに記載の方法。
【００５１】
１２．緊急コール表示は、コールが緊急コールであることを示すＳＦＩＤを使用することによって提供される実施形態２〜１１のいずれかに記載の方法。
【００５２】
１３．緊急コール表示は、ＱｏＳパラメータを使用して、コールが緊急コールであることを示すことによって提供される実施形態２〜１１のいずれかに記載の方法。
【００５３】
１４．緊急コール表示は、ＭＡＣフレームによって運ばれる実施形態２〜１３のいずれかに記載の方法。
【００５４】
１５．ＭＡＣフレームは、制御フレーム、管理フレーム、およびデータフレームのうちの１つである実施形態１４に記載の方法。
【００５５】
１６．緊急用ＢＳＩＤは、基地局用に確保され、緊急コール表示は、緊急用ＢＳＩＤを使用することによって提供される実施形態２〜１５のいずれかに記載の方法。
【００５６】
１７．緊急用ＢＳＩＤは、ＳＢＣ−ＲＳＰメッセージを使用することによってＷＴＲＵに提供される実施形態１６に記載の方法。
【００５７】
１８．基地局は、ＷＴＲＵの認証を行うことなく、緊急コールを受け入れる実施形態３〜１７のいずれかに記載の方法。
【００５８】
１９．基地局は、非緊急コールとは異なるセキュリティ設定で緊急コールを受け入れる実施形態３〜１７のいずれかに記載の方法。
【００５９】
２０．緊急コールは、ＷＭＡＮへの一般アクセスを提供することなく、セミスタティックに緊急コールセンターにルートされる実施形態４〜１９のいずれかに記載の方法。
【００６０】
２１．ＷＭＡＮは、緊急コールが終了した後、所定の期間の間、ＷＴＲＵへのアクティブ接続を維持する実施形態３〜２０のいずれかに記載の方法。
【００６１】
２２．基地局は、ＷＴＲＵの位置情報を緊急コールセンターに転送する実施形態３〜２１のいずれかに記載の方法。
【００６２】
２３．ＷＴＲＵの位置情報は、基地局およびＷＴＲＵのうちの１つによって取得される実施形態２２に記載の方法。
【００６３】
２４．ＷＴＲＵは、位置情報を緊急コールメッセージに添付する実施形態２２〜２３のいずれかに記載の方法。
【００６４】
２５．ＷＴＲＵは、位置情報を緊急コールとは別に基地局に伝える実施形態２２〜２３のいずれかに記載の方法。
【００６５】
２６．基地局は、ＷＴＲＵからの位置情報についてポーリングする実施形態２３〜２５のいずれかに記載の方法。
【００６６】
２７．ＷＴＲＵは、位置情報を基地局に報告する実施形態２３〜２５のいずれかに記載の方法。
【００６７】
２８．位置情報は、ＢＳＳＩＤ、基地局およびＷＴＲＵのＭＡＣアドレス、ＷＴＲＵのＩＰアドレス、ネットワーク識別、ＧＰＳ情報、補助ＧＰＳ座標、Ｕ−ＴＤＯＡ、Ｅ−ＯＴＤ、ＩＰＤＬ−ＯＴＤＯＡ、ユニバーサル地理座標、基地局位置、セルサイト情報、セクタ情報、タイミング進行測定、および往復時間測定のうちの少なくとも１つに基づいて生成される実施形態２３〜２７のいずれかに記載の方法。
【００６８】
２９．基地局が、ＷＴＲＵが緊急コールを完了するのに必要な機能すべてを有しているかどうかを判定することをさらに備える実施形態３〜２８のいずれかに記載の方法。
【００６９】
３０．ＷＴＲＵが緊急コールを完了するのに必要な機能すべてを有していない場合、基地局が任意の必要な機能を提供するＷＴＲＵのプロキシとして働くことを備える実施形態２９に記載の方法。
【００７０】
３１．基地局は、ＷＴＲＵから受信された機能情報に基づいて判定を行う実施形態２９〜３０のいずれかに記載の方法。
【００７１】
３２．基地局は、ＷＭＡＮにおける加入者情報に基づいて判定を行う実施形態２９〜３０のいずれかに記載の方法。
【００７２】
３３．基地局は、ＷＴＲＵのＳＩＰプロキシとして働く実施形態３０〜３２のいずれかに記載の方法。
【００７３】
３４．基地局は、ＳＩＰメッセージとＨ．３２３メッセージとの間を相互接続する実施形態３０〜３３のいずれかに記載の方法。
【００７４】
３５．基地局は、シンボコーダクライアントをＷＴＲＵにダウンロードし、ネットワークにおける標準ボコーダに相互接続する実施形態３０〜３４のいずれかに記載の方法。
【００７５】
３６．機能の少なくとも一部分は、ＷＭＡＮにおけるネットワークエンティティによって提供される実施形態３０〜３５のいずれかに記載の方法。
【００７６】
３７．基地局は、ＷＴＲＵのプロキシとして動作するために、ＷＴＲＵのパケットのコンテンツをスプーフする実施形態３０〜３６のいずれかに記載の方法。
【００７７】
３８．基地局は、基地局を緊急コールセンターにリンクする緊急ネットワークノードと通信する実施形態４〜３７のいずれかに記載の方法。
【００７８】
３９．緊急ネットワークノードは、マンインザループ機能を有する緊急応答オペレーションセンターである実施形態３８に記載の方法。
【００７９】
４０．緊急ネットワークノードは、自動ノードである実施形態３８に記載の方法。
【００８０】
４１．自動ノードは、音声回路ブリッジとして働いてダイヤルし、ＷＴＲＵを緊急コールセンターに接続する実施形態４０に記載の方法。
【００８１】
４２．緊急ネットワークノードは、コールハンドオフおよびローミング調整の機能を有する実施形態４０〜４１のいずれかに記載の方法。
【００８２】
４３．緊急ネットワークノードは、隣の基地局におけるリソースを事前に認可して、ＷＴＲＵのユーザがワイヤレス接続を失うことなくロームすることができるようにする実施形態４２に記載の方法。
【００８３】
４４．ＷＴＲＵは、少なくとも２つのワイヤレスネットワークと通信することができるマルチモードＷＴＲＵである実施形態２〜４３のいずれかに記載の方法。
【００８４】
４５．ＷＴＲＵは、セルラーネットワークおよびＷＭＡＮと通信するよう構成されている実施形態４４に記載の方法。
【００８５】
４６．ＷＴＲＵは、ＷＭＡＮおよびＷＬＡＮと通信するよう構成されている実施形態４４〜４５に記載の方法。
【００８６】
４７．ＷＴＲＵは、最初にセルラーネットワーク上で緊急コールをかけようと試行し、セルラーネットワーク上で緊急コールをかけることができない場合のみ、ＷＭＡＮ上で緊急コールをかける実施形態４６に記載の方法。
【００８７】
４８．複数のワイヤレスネットワークの間で緊急コールをかける順序は、ＷＴＲＵにおいてハードコードされる実施形態４４〜４７のいずれかに記載の方法。
【００８８】
４９．複数のワイヤレスネットワークの間で緊急コールをかける順序は、システムオペレータによって構成される実施形態４４〜４７のいずれかに記載の方法。
【００８９】
５０．複数のワイヤレスネットワークの間で緊急コールをかける順序は、基地局によって構成される実施形態４４〜４７のいずれかに記載の方法。
【００９０】
５１．複数のワイヤレスネットワークの間で緊急コールをかける順序は、ユーザによって手動で構成される実施形態４４〜４７のいずれかに記載の方法。
【００９１】
５２．緊急コールは、ＷＴＲＵのユーザによってかけられる実施形態２〜５１のいずれかに記載の方法。
【００９２】
５３．緊急コールは、ＷＴＲＵによって自律的にかけられる実施形態２〜５１のいずれかに記載の方法。
【００９３】
５４．ＷＭＡＮは、ＩＥＥＥ８０２．１６ネットワークおよびＩＥＥＥ８０２．２０ネットワークのうちの１つである実施形態１〜５３のいずれかに記載の方法。
【００９４】
５５．ＷＭＡＮを含むワイヤレス通信システムにおいて緊急コールをかけるためのＷＴＲＵ。
【００９５】
５６．ＷＭＡＮとワイヤレスで通信するＷＭＡＮワイヤレスユニットを備えた実施形態５５に記載のＷＴＲＵ。
【００９６】
５７．緊急コールをかけるために、緊急コールメッセージを緊急コール表示と共にＷＭＡＮの基地局に送信する緊急コールコントローラを備えた実施形態５５〜５６のいずれかに記載のＷＴＲＵ。
【００９７】
５８．緊急コールコントローラは、基地局が、基地局によってブロードキャストされた機能情報に基づく緊急コール機能を有している場合のみ緊急コールメッセージを送信する実施形態５７に記載のＷＴＲＵ。
【００９８】
５９．緊急コールコントローラは、基地局の緊急コール機能がアクティブの場合のみ、緊急コールメッセージを送信する実施形態５７〜５８のいずれかに記載のＷＴＲＵ。
【００９９】
６０．緊急コールコントローラは、基地局が属するＷＭＡＮが緊急コール機能をサポートする場合のみ、緊急コールメッセージを送信する実施形態５７〜５９のいずれかに記載のＷＴＲＵ。
【０１００】
６１．緊急コールコントローラは、基地局にＷＴＲＵの機能情報を送信するよう構成されている実施形態５７〜６０のいずれかに記載のＷＴＲＵ。
【０１０１】
６２．機能情報は、アソシエーション要求メッセージ、認証要求メッセージ、ＳＢＣ−ＲＥＱメッセージのうちの１つに含まれる実施形態６１に記載のＷＴＲＵ。
【０１０２】
６３．緊急コール表示は、コールが緊急コールであることを示すＳＦＩＤを使用することによって提供される実施形態５７〜６２のいずれかに記載のＷＴＲＵ。
【０１０３】
６４．緊急コール表示は、ＱｏＳパラメータを使用して、コールが緊急コールであることを示すことによって提供される実施形態５７〜６２のいずれかに記載のＷＴＲＵ。
【０１０４】
６５．緊急コール表示は、ＭＡＣフレームによって運ばれる実施形態５７〜６４のいずれかに記載のＷＴＲＵ。
【０１０５】
６６．ＭＡＣフレームは、制御フレーム、管理フレーム、およびデータフレームのうちの１つである実施形態６５に記載のＷＴＲＵ。
【０１０６】
６７．緊急コール表示は、基地局用に確保された緊急用ＢＳＩＤを使用して提供される実施形態５７〜６６のいずれかに記載のＷＴＲＵ。
【０１０７】
６８．ＷＴＲＵの位置情報を生成する位置ユニットをさらに備え、位置情報は、基地局に伝えられる実施形態５５〜６７のいずれかに記載のＷＴＲＵ。
【０１０８】
６９．緊急コールコントローラは、ＷＴＲＵの位置情報を緊急コールメッセージに添付する実施形態６８に記載のＷＴＲＵ。
【０１０９】
７０．緊急コールコントローラは、ＷＴＲＵの位置情報を緊急コールとは別に基地局に送信する実施形態６８に記載のＷＴＲＵ。
【０１１０】
７１．緊急コールコントローラは、基地局によるポーリングに応答してＷＴＲＵの位置情報を送信する実施形態７０に記載のＷＴＲＵ。
【０１１１】
７２．位置ユニットは、ＢＳＳＩＤ、基地局およびＷＴＲＵのＭＡＣアドレス、ＷＴＲＵのＩＰアドレス、ネットワーク識別、ＧＰＳ情報、補助ＧＰＳ座標、Ｕ−ＴＤＯＡ、Ｅ−ＯＴＤ、ＩＰＤＬ−ＯＴＤＯＡ、ユニバーサル地理座標、基地局位置、セルサイト情報、セクタ情報、タイミング進行測定、および往復時間測定のうちの少なくとも１つに基づいて位置情報を生成する実施形態６８〜７１のいずれかに記載のＷＴＲＵ。
【０１１２】
７３．代替ワイヤレスネットワークとワイヤレスで通信する少なくとも１つの代替ワイヤレスユニットをさらに含む実施形態５５〜７２に記載のＷＴＲＵ。
【０１１３】
７４．代替ワイヤレスユニットは、セルラーネットワークと通信するセルラーワイヤレスユニットである実施形態７３に記載のＷＴＲＵ。
【０１１４】
７５．代替ワイヤレスユニットは、ＷＬＡＮワイヤレスユニットである実施形態７３に記載のＷＴＲＵ。
【０１１５】
７６．緊急コールコントローラは、最初にセルラーネットワーク上で緊急コールをかけようと試行し、セルラーネットワーク上で緊急コールをかけることができない場合のみ、ＷＭＡＮ上で緊急コールをかける実施形態７３〜７５のいずれかに記載のＷＴＲＵ。
【０１１６】
７７．複数のワイヤレスネットワークの間で緊急コールをかける順序は、ＷＴＲＵにおいてハードコードされる実施形態７３〜７６のいずれかに記載のＷＴＲＵ。
【０１１７】
７８．複数のワイヤレスネットワークの間で緊急コールをかける順序は、システムオペレータによって構成される実施形態７３〜７６のいずれかに記載のＷＴＲＵ。
【０１１８】
７９．複数のワイヤレスネットワークの間で緊急コールをかける順序は、基地局によって構成される実施形態７３〜７６のいずれかに記載のＷＴＲＵ。
【０１１９】
８０．複数のワイヤレスネットワークの間で緊急コールをかける順序は、ユーザによって手動で構成される実施形態７３〜７６のいずれかに記載のＷＴＲＵ。
【０１２０】
８１．緊急コールコントローラは、ユーザの入力に応答して緊急コールメッセージを送信する実施形態５７〜８０のいずれかに記載のＷＴＲＵ。
【０１２１】
８２．緊急コールコントローラは、緊急コールメッセージを自律的に送信する実施形態５７〜８０のいずれかに記載のＷＴＲＵ。
【０１２２】
８３．ＷＭＡＮを含むワイヤレス通信システムにおいて緊急コールをサポートするための基地局。
【０１２３】
８４．緊急コール表示と共にＷＴＲＵから受信された緊急コールのアドミッション制御を行うアドミッションコントローラを備えた実施形態８３に記載の基地局。
【０１２４】
８５．緊急コールが受け入れられる場合、ＷＴＲＵを緊急コールセンターに接続するよう構成されている緊急コールコントローラを含む実施形態８４に記載の基地局。
【０１２５】
８６．緊急コールコントローラは、緊急コールのサポートに関する基地局の機能情報をブロードキャストする実施形態８５に記載の基地局。
【０１２６】
８７．緊急コールコントローラは、基地局における緊急コール機能が現在アクティブであるかどうかの表示をブロードキャストする実施形態８５〜８６のいずれかに記載の基地局。
【０１２７】
８８．機能情報は、アソシエーション応答メッセージ、認証応答メッセージ、およびＳＢＣ−ＲＳＰメッセージのうちの１つに含まれる実施形態８６〜８７のいずれかに記載の基地局。
【０１２８】
８９．機能情報は、基地局が属するＷＭＡＮの機能情報を含む実施形態８６〜８８のいずれかに記載の基地局。
【０１２９】
９０．緊急コール表示は、コールが緊急コールであることを示すＳＦＩＤを使用することによって提供される実施形態８４〜８９のいずれかに記載の基地局。
【０１３０】
９１．緊急コール表示は、ＱｏＳパラメータを使用して、コールが緊急コールであることを示すことによって提供される実施形態８４〜８９のいずれかに記載の基地局。
【０１３１】
９２．緊急コール表示は、ＭＡＣフレームによって運ばれる実施形態８４〜８９のいずれかに記載の基地局。
【０１３２】
９３．緊急コールコントローラは、基地局用に確保された緊急用ＢＳＩＤをＷＴＲＵに提供し、緊急コール表示は、緊急用ＢＳＩＤを使用することによって示される実施形態８５〜９２のいずれかに記載の基地局。
【０１３３】
９４．アドミッションコントローラは、ＷＴＲＵの認証を行うことなく、緊急コールを受け入れる実施形態８４〜９３のいずれかに記載の基地局。
【０１３４】
９５．アドミッションコントローラは、非緊急コールとは異なるセキュリティ設定で緊急コールを受け入れる実施形態８４〜９３のいずれかに記載の基地局。
【０１３５】
９６．緊急コールは、ＷＭＡＮへの一般アクセスを提供することなく、セミスタティックに緊急コールセンターに送られる実施形態８４〜９５のいずれかに記載の基地局。
【０１３６】
９７．緊急コールコントローラは、緊急コールが終了した後、所定の期間の間、ＷＴＲＵへのアクティブ接続を維持する実施形態８５〜９６のいずれかに記載の基地局。
【０１３７】
９８．緊急コールコントローラは、ＷＴＲＵの位置情報を緊急コールセンターに転送する実施形態８５〜９７に記載の基地局。
【０１３８】
９９．緊急コールコントローラは、ＷＴＲＵからの位置情報についてポーリングする実施形態９８に記載の基地局。
【０１３９】
１００．ＢＳＳＩＤ、基地局およびＷＴＲＵのＭＡＣアドレス、ＷＴＲＵのＩＰアドレス、ネットワーク識別、ＧＰＳ情報、補助ＧＰＳ座標、Ｕ−ＴＤＯＡ、Ｅ−ＯＴＤ、ＩＰＤＬ−ＯＴＤＯＡ、ユニバーサル地理座標、基地局位置、セルサイト情報、セクタ情報、タイミング進行測定、および往復時間測定のうちの少なくとも１つに基づいてＷＴＲＵの位置情報を取得する位置ユニットをさらに備えた実施形態８４〜９９のいずれかに記載の基地局。
【０１４０】
１０１．緊急コールコントローラは、ＷＴＲＵが緊急コールを完了するのに必要な機能すべてを有しているかどうかを判定し、ＷＴＲＵが緊急コールを完了するのに必要な機能すべてを有していない場合、基地局は、任意の必要な機能を提供するＷＴＲＵのプロキシとして働く実施形態８６〜１００のいずれかに記載の基地局。
【０１４１】
１０２．緊急コールコントローラは、ＷＴＲＵから受信された機能情報に基づいて判定を行う実施形態１０１に記載の基地局。
【０１４２】
１０３．緊急コールコントローラは、ＷＭＡＮにおける加入者情報に基づいて判定を行う実施形態１０１に記載の基地局。
【０１４３】
１０４．基地局は、ＷＴＲＵのＳＩＰプロキシとして働く実施形態１０１〜１０３のいずれかに記載の基地局。
【０１４４】
１０５．基地局は、ＳＩＰメッセージとＨ．３２３メッセージとの間を相互接続する実施形態１０１〜１０４のいずれかに記載の基地局。
【０１４５】
１０６．緊急コールコントローラは、シンボコーダクライアントをＷＴＲＵにダウンロードし、ネットワークにおける標準ボコーダに相互接続する実施形態１０１〜１０５のいずれかに記載の基地局。
【０１４６】
１０７．緊急コールコントローラは、ＷＴＲＵのプロキシとして動作するＷＴＲＵのパケットのコンテンツをスプーフする実施形態１０１〜１０６のいずれかに記載の基地局。
【０１４７】
本発明の特徴および要素は、好ましい実施形態において、特定の組み合わせで記載されているが、各特徴または要素は、好ましい実施形態の他の特徴および要素なしに単独で使用することができ、または本発明の他の特徴および要素の有無にかかわらず、様々な組み合わせで使用することができる。本発明で提供された方法またはフロー図は、汎用コンピュータまたはプロセッサによって実行するために、コンピュータ可読記憶媒体に有形的に具体化されるコンピュータプログラム、ソフトウェア、またはファームウェアにおいて実施することができる。コンピュータ可読記憶媒体の例には、読み取り専用メモリ（ＲＯＭ）、ランダムアクセスメモリ（ＲＡＭ）、レジスタ、キャッシュメモリ、半導体メモリデバイス、内蔵ハードディスクおよび取外式ディスクなどの磁気媒体、光磁気媒体、およびＣＤ−ＲＯＭディスクおよびデジタル多目的ディスク（ＤＶＤ）などの光媒体などがある。
【０１４８】
適したプロセッサには、例として、汎用プロセッサ、専用プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け専用回路（ＡＳＩＣ）、フィールドプログラマブルゲートアレイ（ＦＰＧＡ）回路、他の任意のタイプの集積回路（ＩＣ）および／またはステートマシンなどがある。
【０１４９】
ソフトウェアと関連するプロセッサは、ワイヤレス送受信ユニット（ＷＴＲＵ）、ユーザ機器（ＵＥ）、端末、基地局、ワイヤレスネットワークコントローラ（ＲＮＣ）、または任意のホストコンピュータで使用するための無線周波数トランシーバを実施するために使用することができる。ＷＴＲＵは、カメラ、ビデオカメラモジュール、テレビ電話、スピーカフォン、振動デバイス、スピーカ、マイクロフォン、テレビ送受信機、ハンズフリーヘッドセット、キーボード、Ｂｌｕｅｔｏｏｔｈ（登録商標）モジュール、周波数変調（ＦＭ）ワイヤレスユニット、液晶ディスプレイ（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールなど、ハードウェアおよび／またはソフトウェアに実装することができるモジュールと共に使用することができる。
【図１】
2009537108.tif 000003
【図２】
2009537108.tif 000004
【図３】
2009537108.tif 000005
【図４】
2009537108.tif 000006
【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
緊急コールをサポートするための方法であって、
ワイヤレス送受信ユニット（ＷＴＲＵ）が、緊急コールのサポートに関するワイヤレスメトロポリタンエリアネットワーク（ＷＭＡＮ）の基地局の機能情報を受信することであって、前記機能情報は、アソシエーション応答メッセージ、認証応答メッセージ、および加入者局基本機能応答（ＳＢＣ−ＲＳＰ）メッセージのうちの１つに含まれることと、
前記基地局が緊急コール機能を有している場合、前記ＷＴＲＵが、緊急コールをかけるために、緊急コールメッセージを緊急コール表示と共に前記基地局に送信することと
を備えることを特徴とする方法。
【請求項２】
前記ＷＴＲＵが、前記基地局における前記緊急コール機能が現在アクティブであるかどうかの表示を受信することであって、前記ＷＴＲＵは、前記緊急コール機能がアクティブである場合のみ、前記緊急コールメッセージを送信すること
をさらに備えることを特徴とする請求項１記載の方法。
【請求項３】
緊急基地局識別（ＢＳＩＤ）は、前記基地局用に確保され、前記緊急コール表示は、前記緊急用ＢＳＩＤを使用することによって提供されることを特徴とする請求項１に記載の方法。
【請求項４】
前記ＷＴＲＵは、前記ＳＢＣ−ＲＳＰメッセージを介して前記緊急用ＢＳＩＤを受信することを特徴とする請求項３に記載の方法。
【請求項５】
緊急コールをサポートするための方法であって、
ワイヤレスメトロポリタンエリアネットワーク（ＷＭＡＮ）の基地局が緊急コールのサポートに関する前記基地局の機能情報を送信することであって、前記機能情報は、アソシエーション応答メッセージ、認証応答メッセージ、および加入者局基本機能応答（ＳＢＣ−ＲＳＰ）メッセージのうちの１つに含まれることと、
前記基地局が、緊急コールメッセージを緊急コール表示と共にワイヤレス送受信ユニット（ＷＴＲＵ）から受信することと、
前記基地局が前記緊急コールを受け入れることと、
前記基地局が前記ＷＴＲＵを緊急コールセンターに接続することと
を備えることを特徴とする方法。
【請求項６】
前記基地局が、前記ＷＴＲＵが前記緊急コールを完了するのに必要な機能すべてを有しているかどうかを判定することと、
前記ＷＴＲＵが前記緊急コールを完了するのに必要な機能すべてを有していない場合、前記基地局が任意の必要な機能を提供する前記ＷＴＲＵのプロキシとして働くことと
をさらに備えることを特徴とする請求項５に記載の方法。
【請求項７】
前記基地局は、前記ＷＴＲＵのセッション開始プロトコル（ＳＩＰ）プロキシとして働くことを特徴とする請求項６に記載の方法。
【請求項８】
前記基地局は、セッション開始プロトコル（ＳＩＰ）メッセージとＨ．３２３メッセージとの間を相互接続することを特徴とする請求項６に記載の方法。
【請求項９】
前記基地局は、シンボコーダクライアントを前記ＷＴＲＵにダウンロードし、前記ネットワークにおける標準ボコーダに相互接続することを特徴とする請求項６に記載の方法。
【請求項１０】
緊急コールをかけるワイヤレス送受信ユニット（ＷＴＲＵ）であって、
ワイヤレスメトロポリタンエリアネットワーク（ＷＭＡＮ）とワイヤレスで通信し、緊急コールのサポートに関する前記ＷＭＡＮの基地局の機能情報を受信するＷＭＡＮ無線ユニットであって、前記機能情報が、アソシエーション応答メッセージ、認証応答メッセージ、および加入者局基本機能応答（ＳＢＣ−ＲＳＰ）メッセージのうちの１つに含まれるＷＭＡＮ無線ユニットと、
前記基地局が緊急コール機能を有している場合、緊急コールをかけるために、緊急コールメッセージを緊急コール表示と共に前記ＷＭＡＮの前記基地局に送信する緊急コールコントローラと
を備えたことを特徴とするＷＴＲＵ。
【請求項１１】
前記緊急コール表示は、前記基地局用に確保された緊急用基地局識別（ＢＳＩＤ）を使用することによって提供されることを特徴とする請求項１０に記載のＷＴＲＵ。
【請求項１２】
セルラーネットワークとワイヤレスで通信するセルラー無線ユニットをさらに備え、前記緊急コールコントローラは、最初に前記セルラーネットワーク上で緊急コールをかけようと試行し、前記セルラーネットワーク上で前記緊急コールをかけることができない場合のみ、前記ＷＭＡＮ上で前記緊急コールをかけることを特徴とする請求項１０に記載のＷＴＲＵ。
【請求項１３】
緊急コールをサポートする基地局であって、
緊急コール表示と共にワイヤレス送受信ユニット（ＷＴＲＵ）から受信された緊急コールのアドミッション制御を行うアドミッションコントローラと、
緊急コールのサポートに関する前記基地局の機能情報を、アソシエーション応答メッセージ、認証応答メッセージ、および加入者局基本機能応答（ＳＢＣ−ＲＳＰ）メッセージのうちの１つで送信し、前記緊急コールが受け入れられると、前記ＷＴＲＵを緊急コールセンターに接続するよう構成されている緊急コールコントローラと
を備えたことを特徴とする基地局。
【請求項１４】
前記緊急コールコントローラは、前記基地局における前記緊急コール機能が現在アクティブであるかどうかの表示をブロードキャストすることを特徴とする請求項１３に記載の基地局。
【請求項１５】
前記緊急コールコントローラは、前記基地局用に確保された緊急用基地局識別（ＢＳＩＤ）を前記ＷＴＲＵに提供し、前記緊急コール表示は、前記緊急用ＢＳＩＤを使用することによって示されることを特徴とする請求項１３に記載の基地局。
【請求項１６】
前記アドミッションコントローラは、非緊急コールとは異なるセキュリティ設定で前記緊急コールを受け入れることを特徴とする請求項１３に記載の基地局。
【請求項１７】
前記緊急コールコントローラは、前記ＷＴＲＵが緊急コールを完了するのに必要な前記機能すべてを有しているかどうかを判定し、前記ＷＴＲＵが前記緊急コールを完了するのに必要な前記機能すべてを有していない場合、前記基地局は、任意の必要な機能を提供する前記ＷＴＲＵのプロキシとして働くことを特徴とする請求項１３に記載の基地局。
【請求項１８】
前記基地局は、前記ＷＴＲＵのセッション開始プロトコル（ＳＩＰ）プロキシとして働くことを特徴とする請求項１７に記載の基地局。
【請求項１９】
前記基地局は、セッション開始プロトコル（ＳＩＰ）メッセージとＨ．３２３メッセージとの間を相互接続することを特徴とする請求項１７に記載の基地局。
【請求項２０】
前記緊急コールコントローラは、シンボコーダクライアントを前記ＷＴＲＵにダウンロードし、前記ネットワークにおける標準ボコーダに相互接続することを特徴とする請求項１７に記載の基地局。
【国際調査報告】
2009537108.tif 000007
2009537108.tif 000008
2009537108.tif 000009